(57)【要約】【課題】ファクシミリを受信する旨を周囲に周知させることが可能なファクシミリシステム、情報処理装置及び記憶媒体を提供する。【解決手段】ファクシミリを取得するファクシミリ取得部２５１と、ファクシミリの転送対象の子機３０を特定する特定部２５５と、転送対象の子機３０で実行可能なファクシミリ受信の通知方法を示す実行可能通知方法情報を取得する実行可能通知方法情報取得部２５７と、ファクシミリ受信の通知方法を示す通知方法情報毎に優先度情報を対応付けた通知優先度情報を取得する通知優先度情報取得部２６１と、実行可能通知方法情報と通知優先度情報とに基づいて、実行させるファクシミリ受信の通知方法を決定する決定部２６３と、決定されたファクシミリ受信の通知方法を示す通知方法情報を転送対象の子機３０に通知する通知方法情報通知部２６５と、ファクシミリの印刷を転送対象の子機３０に指示する印刷指示部２６７と、を備える。【選択図】図６
2016174307.tif 000002
【特許請求の範囲】
【請求項１】
ファクシミリ装置と、情報処理装置と、１以上の画像形成装置と、を備えるファクシミリシステムであって、
前記ファクシミリ装置は、
ファクシミリを受信するファクシミリ受信部と、
前記ファクシミリを前記情報処理装置に通知するファクシミリ通知部と、を備え、
前記情報処理装置は、
前記１以上の画像形成装置の中から、前記ファクシミリの転送対象となる転送対象画像形成装置を特定する特定部と、
前記転送対象画像形成装置から、当該転送対象画像形成装置で実行可能な１以上のファクシミリ受信の通知方法を示す実行可能通知方法情報を取得する実行可能通知方法情報取得部と、
ファクシミリ受信の通知方法を示す通知方法情報毎に優先度を示す優先度情報を対応付けた通知優先度情報を取得する通知優先度情報取得部と、
前記実行可能通知方法情報と前記通知優先度情報とに基づいて、前記転送対象画像形成装置に実行させるファクシミリ受信の通知方法を決定する決定部と、
前記決定されたファクシミリ受信の通知方法を示す通知方法情報を前記転送対象画像形成装置に通知する通知方法情報通知部と、
前記通知方法情報の通知後に、前記ファクシミリの印刷を前記転送対象画像形成装置に指示する印刷指示部と、を備え、
前記転送対象画像形成装置は、
前記情報処理装置から通知された前記通知方法情報が示すファクシミリ受信の通知方法を実行する第１の通知実行部と、
前記情報処理装置から指示された前記ファクシミリの印刷を実行する印刷実行部と、を備えるファクシミリシステム。
【請求項２】
携帯端末を更に備え、
前記決定されたファクシミリ受信の通知方法は、前記携帯端末を用いた通知方法であり、
前記第１の通知実行部は、前記情報処理装置から前記通知方法情報の通知後に、予め定められた範囲内に前記携帯端末が位置すると、前記携帯端末との接続を試み、接続に成功した場合、前記携帯端末用のファクシミリ受信の通知方法を示す携帯用通知方法情報を前記携帯端末に通知し、
前記携帯端末は、
前記予め定められた範囲内に前記転送対象画像形成装置が位置すると、前記転送対象画像形成装置との接続を試みる接続制御部と、
前記転送対象画像形成装置との接続が成功した場合に、前記転送対象画像形成装置から通知された前記携帯用通知方法情報が示す前記携帯端末用のファクシミリ受信の通知方法を実行する第２の通知実行部と、を備える請求項１に記載のファクシミリシステム。
【請求項３】
前記転送対象画像形成装置は、
前記情報処理装置から通知された前記通知方法情報が示すファクシミリ受信の通知方法を実行した後に、ユーザからの操作入力に基づいて、前記ファクシミリの印刷を開始するか否かを示す印刷開始要求情報を前記情報処理装置に通知する印刷開始要求情報通知部を更に備え、
前記情報処理装置は、
前記転送対象画像形成装置から通知された前記印刷開始要求情報を受信する印刷開始要求情報受信部を更に備え、
前記印刷指示部は、前記印刷開始要求情報受信部により受信された前記印刷開始要求情報が印刷開始を示す場合、前記ファクシミリの印刷を前記転送対象画像形成装置に指示する請求項１又は２に記載のファクシミリシステム。
【請求項４】
前記決定部は、前記印刷開始要求情報受信部により前記印刷開始要求情報が受信されない場合、前記通知優先度情報に基づいて、前記転送対象画像形成装置に更に実行させるファクシミリ受信の補助通知方法を、前記実行可能通知方法情報が示す１以上のファクシミリ受信の通知方法のうち前記決定されたファクシミリ受信の通知方法以外のファクシミリ受信の通知方法の中から決定し、
前記通知方法情報通知部は、前記決定されたファクシミリ受信の補助通知方法を示す補助通知方法情報を前記転送対象画像形成装置に更に通知し、
前記第１の通知実行部は、前記情報処理装置から通知された前記補助通知方法情報が示すファクシミリ受信の補助通知方法を更に実行する請求項３に記載のファクシミリシステム。
【請求項５】
前記通知方法情報通知部は、前記実行可能通知方法情報取得部が前記転送対象画像形成装置から前記実行可能通知方法情報を取得できない場合、前記転送対象画像形成装置に前記ファクシミリが転送されたことを示すファクシミリ受信通知情報を予め定められた通知先に通知する請求項１〜４のいずれか１つに記載のファクシミリシステム。
【請求項６】
前記実行可能通知方法情報取得部は、前記転送対象画像形成装置から前記実行可能通知方法情報を取得できない場合、前記１以上の画像形成装置のうち前記転送対象画像形成装置の近隣に位置する近隣画像形成装置から前記実行可能通知方法情報を取得し、
前記決定部は、前記実行可能通知方法情報と前記通知優先度情報とに基づいて、前記近隣画像形成装置に代替実行させるファクシミリ受信の通知方法を決定し、
前記通知方法情報通知部は、前記決定されたファクシミリ受信の通知方法を示す通知方法情報を前記近隣画像形成装置に通知し、
前記近隣画像形成装置の前記第１の通知実行部は、前記情報処理装置から通知された前記通知方法情報が示すファクシミリ受信の通知方法を代替実行する請求項１〜４のいずれか１つに記載のファクシミリシステム。
【請求項７】
前記通知優先度情報は、時間帯を示す時間帯情報毎に、前記優先度情報が前記通知方法情報に対応付けられており、
前記決定部は、更に現在の時刻に基づいて、前記転送対象画像形成装置に実行させるファクシミリ受信の通知方法を決定する請求項１〜６のいずれか１つに記載のファクシミリシステム。
【請求項８】
前記通知優先度情報は、ユーザを示すユーザ識別情報毎に、前記優先度情報が前記通知方法情報に対応付けられており、
前記決定部は、更に前記ファクシミリの受取対象ユーザを示す受取対象ユーザ識別情報に基づいて、前記転送対象画像形成装置に実行させるファクシミリ受信の通知方法を決定する請求項１〜６のいずれか１つに記載のファクシミリシステム。
【請求項９】
前記情報処理装置は、前記ファクシミリ装置と内部接続又は外部接続され、
前記情報処理装置と前記１以上の画像形成装置とは、ネットワークを介して接続されている請求項１〜８のいずれか１つに記載のファクシミリシステム。
【請求項１０】
前記ファクシミリ装置、前記情報処理装置、及び前記１以上の画像形成装置は、ネットワークを介して接続されている請求項１〜８のいずれか１つに記載のファクシミリシステム。
【請求項１１】
ファクシミリ装置で受信されたファクシミリを取得するファクシミリ取得部と、
１以上の画像形成装置の中から、前記ファクシミリの転送対象となる転送対象画像形成装置を特定する特定部と、
前記転送対象画像形成装置から、当該転送対象画像形成装置で実行可能な１以上のファクシミリ受信の通知方法を示す実行可能通知方法情報を取得する実行可能通知方法情報取得部と、
ファクシミリ受信の通知方法を示す通知方法情報毎に優先度を示す優先度情報を対応付けた通知優先度情報を取得する通知優先度情報取得部と、
前記実行可能通知方法情報と前記通知優先度情報とに基づいて、前記転送対象画像形成装置に実行させるファクシミリ受信の通知方法を決定する決定部と、
前記決定されたファクシミリ受信の通知方法を示す通知方法情報を前記転送対象画像形成装置に通知する通知方法情報通知部と、
前記通知方法情報の通知後に、前記ファクシミリの印刷を前記転送対象画像形成装置に指示する印刷指示部と、
を備える情報処理装置。
【請求項１２】
前記通知方法情報の通知後に、前記転送対象画像形成装置から、前記ファクシミリの印刷を開始するか否かを示す印刷開始要求情報を受信する印刷開始要求情報受信部を更に備え、
前記印刷指示部は、前記印刷開始要求情報受信部により受信された前記印刷開始要求情報が印刷開始を示す場合、前記ファクシミリの印刷を前記転送対象画像形成装置に指示する請求項１１に記載の情報処理装置。
【請求項１３】
前記決定部は、前記印刷開始要求情報受信部により前記印刷開始要求情報が受信されない場合、前記通知優先度情報に基づいて、前記転送対象画像形成装置に更に実行させるファクシミリ受信の補助通知方法を、前記実行可能通知方法情報が示す１以上のファクシミリ受信の通知方法のうち前記決定されたファクシミリ受信の通知方法以外のファクシミリ受信の通知方法の中から決定し、
前記通知方法情報通知部は、前記決定されたファクシミリ受信の補助通知方法を示す補助通知方法情報を前記転送対象画像形成装置に更に通知する請求項１２に記載の情報処理装置。
【請求項１４】
前記通知方法情報通知部は、前記実行可能通知方法情報取得部が前記転送対象画像形成装置から前記実行可能通知方法情報を取得できない場合、前記転送対象画像形成装置に前記ファクシミリが転送されたことを示すファクシミリ受信通知情報を予め定められた通知先に通知する請求項１１〜１３のいずれか１つに記載の情報処理装置。
【請求項１５】
前記実行可能通知方法情報取得部は、前記転送対象画像形成装置から前記実行可能通知方法情報を取得できない場合、前記１以上の画像形成装置のうち前記転送対象画像形成装置の近隣に位置する近隣画像形成装置から前記実行可能通知方法情報を取得し、
前記決定部は、前記実行可能通知方法情報と前記通知優先度情報とに基づいて、前記近隣画像形成装置に代替実行させるファクシミリ受信の通知方法を決定し、
前記通知方法情報通知部は、前記決定されたファクシミリ受信の通知方法を示す通知方法情報を前記近隣画像形成装置に通知する請求項１１〜１４のいずれか１つに記載の情報処理装置。
【請求項１６】
前記通知優先度情報は、時間帯を示す時間帯情報毎に、前記優先度情報が前記通知方法情報に対応付けられており、
前記決定部は、更に現在の時刻に基づいて、前記転送対象画像形成装置に実行させるファクシミリ受信の通知方法を決定する請求項１１〜１５のいずれか１つに記載の情報処理装置。
【請求項１７】
前記通知優先度情報は、ユーザを示すユーザ識別情報毎に、前記優先度情報が前記通知方法情報に対応付けられており、
前記決定部は、更に前記ファクシミリの受取対象ユーザを示す受取対象ユーザ識別情報に基づいて、前記転送対象画像形成装置に実行させるファクシミリ受信の通知方法を決定する請求項１１〜１５のいずれか１つに記載の情報処理装置。
【請求項１８】
前記ファクシミリ装置に内部接続又は外部接続され、前記１以上の画像形成装置とネットワークを介して接続されている請求項１１〜１７のいずれか１つに記載の情報処理装置。
【請求項１９】
前記ファクシミリ装置及び前記１以上の画像形成装置とネットワークを介して接続されている請求項１１〜１７のいずれか１つに記載の情報処理装置。
【請求項２０】
ファクシミリ装置で受信されたファクシミリを取得するファクシミリ取得ステップと、
１以上の画像形成装置の中から、前記ファクシミリの転送対象となる転送対象画像形成装置を特定する特定ステップと、
前記転送対象画像形成装置から、当該転送対象画像形成装置で実行可能な１以上のファクシミリ受信の通知方法を示す実行可能通知方法情報を取得する実行可能通知方法情報取得ステップと、
ファクシミリ受信の通知方法を示す通知方法情報毎に優先度を示す優先度情報を対応付けた通知優先度情報を取得する通知優先度情報取得ステップと、
前記実行可能通知方法情報と前記通知優先度情報とに基づいて、前記転送対象画像形成装置に実行させるファクシミリ受信の通知方法を決定する決定ステップと、
前記決定されたファクシミリ受信の通知方法を示す通知方法情報を前記転送対象画像形成装置に通知する通知方法情報通知ステップと、
前記通知方法情報の通知後に、前記ファクシミリの印刷を前記転送対象画像形成装置に指示する印刷指示ステップと、
をコンピュータに実行させるためのプログラムを記憶したコンピュータ読み取り可能な記憶媒体。
【発明の詳細な説明】
【技術分野】
【０００１】
本発明は、ファクシミリシステム、情報処理装置及び記憶媒体に関する。
【背景技術】
【０００２】
公衆回線に接続されたファクシミリ装置である親機と、公衆回線に接続されていない画像処理装置である子機とをＬＡＮ（Local  Area  Network）などで接続することで、公衆回線に接続されていない子機から親機を介して外部にファクシミリを送信したり、外部から親機を介して公衆回線に接続されていない子機でファクシミリを受信したりする技術が知られている（例えば、特許文献１参照）。
【発明の概要】
【発明が解決しようとする課題】
【０００３】
しかしながら、上述したような従来技術では、子機は、ファクシミリ機能を有している必要はないため、ファクシミリ装置のように、ファクシミリ受信の通知機能を有しているとは限らない。
【０００４】
このため、子機は、親機から転送されたファクシミリを受信した場合に、ファクシミリ装置のように、ファクシミリを受信した旨を周囲に周知できない可能性がある。
【０００５】
本発明は、上記事情に鑑みてなされたものであり、ファクシミリを受信する旨を周囲に周知させることが可能なファクシミリシステム、情報処理装置及び記憶媒体を提供することを目的とする。
【課題を解決するための手段】
【０００６】
上述した課題を解決し、目的を達成するために、本発明の一態様にかかるファクシミリシステムは、ファクシミリ装置と、情報処理装置と、１以上の画像形成装置と、を備えるファクシミリシステムであって、前記ファクシミリ装置は、ファクシミリを受信するファクシミリ受信部と、前記ファクシミリを前記情報処理装置に通知するファクシミリ通知部と、を備え、前記情報処理装置は、前記１以上の画像形成装置の中から、前記ファクシミリの転送対象となる転送対象画像形成装置を特定する特定部と、前記転送対象画像形成装置から、当該転送対象画像形成装置で実行可能な１以上のファクシミリ受信の通知方法を示す実行可能通知方法情報を取得する実行可能通知方法情報取得部と、ファクシミリ受信の通知方法を示す通知方法情報毎に優先度を示す優先度情報を対応付けた通知優先度情報を取得する通知優先度情報取得部と、前記実行可能通知方法情報と前記通知優先度情報とに基づいて、前記転送対象画像形成装置に実行させるファクシミリ受信の通知方法を決定する決定部と、前記決定されたファクシミリ受信の通知方法を示す通知方法情報を前記転送対象画像形成装置に通知する通知方法情報通知部と、前記通知方法情報の通知後に、前記ファクシミリの印刷を前記転送対象画像形成装置に指示する印刷指示部と、を備え、前記転送対象画像形成装置は、前記情報処理装置から通知された前記通知方法情報が示すファクシミリ受信の通知方法を実行する第１の通知実行部と、前記情報処理装置から指示された前記ファクシミリの印刷を実行する印刷実行部と、を備える。
【発明の効果】
【０００７】
本発明によれば、ファクシミリを受信する旨を周囲に周知させることが可能という効果を奏する。
【図面の簡単な説明】
【０００８】
【図１】図１は、第１実施形態のファクシミリシステムの構成の一例を示す模式図である。
【図２】図２は、第１実施形態の親機のハードウェア構成の一例を示すブロック図である。
【図３】図３は、第１実施形態の子機のハードウェア構成の一例を示すブロック図である。
【図４】図４は、第１実施形態の子機のハードウェア構成の一例を示すブロック図である。
【図５】図５は、第１実施形態の携帯端末のハードウェア構成の一例を示すブロック図である。
【図６】図６は、第１実施形態のファクシミリシステムの機能構成の一例を示すブロック図である。
【図７】図７は、第１実施形態の転送情報の一例を示す図である。
【図８】図８は、第１実施形態の実行可能通知方法情報の一例を示す図である。
【図９】図９は、第１実施形態の通知優先度情報の一例を示す図である。
【図１０】図１０は、第１実施形態の画面表示の一例を示す図である。
【図１１】図１１は、第１実施形態のファクシミリシステムで行われる処理の手順の流れの一例を示すシーケンス図である。
【図１２】図１２は、第１実施形態のファクシミリシステムにおいて、通知方法情報がスマートデバイスへの通知を示す場合に行われる処理の手順の流れの一例を示すシーケンス図である。
【図１３】図１３は、第２実施形態のファクシミリシステムの機能構成の一例を示すブロック図である。
【図１４】図１４は、第２実施形態の確認画面の一例を示す図である。
【図１５】図１５は、第２実施形態のファクシミリシステムで行われる処理の手順の流れの一例を示すシーケンス図である。
【図１６】図１６は、変形例１のファクシミリシステムの構成の一例を示す模式図である。
【図１７】図１７は、第２実施形態の通知優先度情報の一例を示す図である。
【図１８】図１８は、第２実施形態の通知優先度情報の一例を示す図である。
【発明を実施するための形態】
【０００９】
以下、添付図面を参照しながら、本発明にかかるファクシミリシステム、情報処理装置及び記憶媒体の実施形態を詳細に説明する。
【００１０】
（第１実施形態）
図１は、第１実施形態のファクシミリシステム１の構成の一例を示す模式図である。図１に示すように、ファクシミリシステム１は、親機１０と、子機３０−１〜３０−４（１以上の画像形成装置の一例）と、携帯端末４０と、外部ファクシミリ装置５０−１、５０−２と、を備える。親機１０、子機３０−１〜３０−４、及び携帯端末４０は、内部ネットワーク２を介して接続され、親機１０と外部ファクシミリ装置５０−１、５０−２とは、外部ネットワーク３を介して接続されている。
【００１１】
内部ネットワーク２は、私設ネットワークであり、例えば、ＬＡＮ（Local  Area  Network）などが挙げられる。外部ネットワーク３は、公衆ネットワークであり、例えば、公衆回線網やインターネットなどが挙げられる。第１実施形態では、外部ネットワーク３が公衆回線網である場合を例に取り説明するが、これに限定されるものではない。
【００１２】
以下の説明では、子機３０−１〜３０−４を各々区別する必要がない場合は、単に子機３０と称し、外部ファクシミリ装置５０−１、５０−２を各々区別する必要がない場合は、単に外部ファクシミリ装置５０と称する場合がある。また、図１では、子機３０の台数が４台である場合を例示しているが、これに限定されず、１台以上であれば何台であってもよい。同様に、図１では、外部ファクシミリ装置５０の台数が２台である場合を例示しているが、これに限定されず、１台以上であれば何台であってもよい。
【００１３】
子機３０は、親機１０が接続される内部ネットワーク２に接続される機器であり、例えば、印刷装置、複写機、及び複合機（ＭＦＰ：Multifunction  Peripheral）などの画像形成装置が挙げられる。
【００１４】
携帯端末４０は、ユーザが所持する端末装置であり、例えば、スマートフォンやタブレット端末などスマートデバイスが挙げられる。
【００１５】
親機１０は、外部ネットワーク３に接続されたファクシミリ装置である。ファクシミリ装置は、少なくともファクシミリ機能を有していればよく、ファクシミリ機能を主機能とする装置、ファクシミリ機能を有する電話機、及びファクシミリ機能を有する複合機などが挙げられる。
【００１６】
第１実施形態では、親機１０は、本体部１１（ファクシミリ装置の一例）とサーバ部２０（情報処理装置の一例）とを備えている。親機１０のファクシミリ装置としての構成は本体部１１に備えられており、親機１０のファクシミリ装置としての動作は本体部１１で実行される。
【００１７】
また第１実施形態では、サーバ部２０は、ボード状の小型サーバであり、親機１０に内蔵されて本体部１１と内部接続されていることを想定しているが、これに限定されるものではない。サーバ部２０は、本体部１１と接続されていればよく、本体部１１と内部接続されるものであっても、本体部１１と外部接続されるものであってもよい。
【００１８】
サーバ部２０は、本体部１１が外部ネットワーク３を介して外部ファクシミリ装置５０から受信したファクシミリを子機３０に転送する。これにより、外部ネットワーク３に接続されていない子機３０であっても外部からファクシミリを受信できるようになっている。
【００１９】
図２は、第１実施形態の親機１０のハードウェア構成の一例を示すブロック図である。図２に示すように、親機１０の本体部１１とサーバ部２０とは、バスで接続されている。本体部１１は、スキャナユニット１０１と、操作パネル１０３と、ＣＰＵ（Central  Processing  Unit）１０５と、ＲＯＭ（Read  Only  Memory）１０７と、ＲＡＭ（Random  Access  Memory）１０９と、プリントエンジン１１１と、画像メモリ１１３と、ＨＤＤ（Hard  Disk  Drive）１１５と、ＮＩＣ（Network  Interface  Controller）１１７と、ＭＯＤＥＭ１１９と、ＮＣＵ（Network  Control  Unit）１２１と、を備える。また、サーバ部２０は、ＣＰＵ２０１と、ＲＯＭ２０３と、ＲＡＭ２０５と、ＨＤＤ２０７と、ＮＩＣ２０９と、を備える。但し、図２に示す親機１０のハードウェア構成は、一例であり、これに限定されるものではない。
【００２０】
スキャナユニット１０１は、原稿台に置かれた原稿を電子的に読み取り、画像データを生成する。プリントエンジン１１１は、画像データを印刷出力する。画像メモリ１１３は、スキャナユニット１０１により生成された画像データやプリントエンジン１１１に印刷出力される画像データを格納するメモリである。
【００２１】
ＮＩＣ１１７は、内部ネットワーク２を介した通信用の通信インタフェースである。ＮＣＵ１２１は、外部ネットワーク３を介した通信用の通信インタフェースである。ＭＯＤＥＭ１１９は、外部ネットワーク３を介したファクシミリ通信に伴う変復調を行う装置である。操作パネル１０３は、画面を表示するためのＬＣＤ（Liquid  Crystal  Display）、状態を示すＬＥＤ（Light  Emitting  Diode）、ブザー、ハードキー、及びタッチパネルを備え、ＬＣＤに各種情報を表示したり、ハードキーやタッチパネルから各種情報の入力を受け付けたりする。
【００２２】
ＲＯＭ１０７は、ＣＰＵ１０５で実行されるプログラムなどを記憶する。ＲＡＭ１０９は、ＣＰＵ１０５の作業領域に用いられる。ＨＤＤ１１５は、ＣＰＵ１０５が使用する各種データを記憶する。ＣＰＵ１０５は、ＲＯＭ１０７に記憶されたプログラムをＲＡＭ１０９上で実行することで、バスで接続されたスキャナユニット１０１、操作パネル１０３、プリントエンジン１１１、画像メモリ１１３、ＨＤＤ１１５、ＮＩＣ１１７、ＭＯＤＥＭ１１９、及びＮＣＵ１２１などを制御する。
【００２３】
ＮＩＣ２０９は、内部ネットワーク２を介した通信用の通信インタフェースである。ＲＯＭ２０３は、ＣＰＵ２０１で実行されるプログラムなどを記憶する。ＲＡＭ２０５は、ＣＰＵ２０１の作業領域に用いられる。ＨＤＤ２０７は、ＣＰＵ２０１が使用する各種データを記憶する。ＣＰＵ２０１は、ＲＯＭ２０３に記憶されたプログラムをＲＡＭ２０５上で実行することで、本体部１１と子機３０とを連携したファクシミリ通信を実現する。
【００２４】
図３及び図４は、第１実施形態の子機３０のハードウェア構成の一例を示すブロック図であり、図３は、子機３０が印刷装置である場合のハードウェア構成を示し、図４は、子機３０が複合機である場合のハードウェア構成を示している。図３に示すハードウェア構成と図４に示すハードウェア構成との差異は、スキャナユニット３２１を備えるか否かであるため、ここでは、スキャナユニット３２１を備える図４に示すハードウェア構成を例に取り説明する。図３に示すハードウェア構成については、以下の説明からスキャナユニット３２１を除外すればよい。
【００２５】
図４に示すように、子機３０は、操作パネル３０１と、ＣＰＵ３０３と、ＲＯＭ３０５と、ＲＡＭ３０７と、無線通信装置３０９と、プリントエンジン３１１と、画像メモリ３１３と、ＨＤＤ３１５と、ＮＩＣ３１７と、認証装置３１９と、スキャナユニット３２１と、を備える。但し、図４に示す子機３０のハードウェア構成は、一例であり、これに限定されるものではない。
【００２６】
スキャナユニット３２１は、原稿台に置かれた原稿を電子的に読み取り、画像データを生成する。プリントエンジン３１１は、画像データを印刷出力する。画像メモリ３１３は、スキャナユニット３２１により生成された画像データやプリントエンジン３１１に印刷出力される画像データを格納するメモリである。
【００２７】
ＮＩＣ３１７は、内部ネットワーク２を介した通信用の通信インタフェースである。無線通信装置３０９は、Ｂｌｕｅｔｏｏｔｈ（登録商標）などの近距離無線通信用の通信インタフェースである。認証装置３１９は、カードリーダなどユーザを認証する装置である。操作パネル３０１は、画面を表示するためのＬＣＤ、状態を示すＬＥＤ、ブザー、パトライト（登録商標）、ハードキー、及びタッチパネルを備え、ＬＣＤに各種情報を表示したり、ハードキーやタッチパネルから各種情報の入力を受け付けたりする。
【００２８】
ＲＯＭ３０５は、ＣＰＵ３０３で実行されるプログラムなどを記憶する。ＲＡＭ３０７は、ＣＰＵ３０３の作業領域に用いられる。ＨＤＤ３１５は、ＣＰＵ３０３が使用する各種データを記憶する。ＣＰＵ３０３は、ＲＯＭ３０５に記憶されたプログラムをＲＡＭ３０７上で実行することで、バスで接続された操作パネル３０１、無線通信装置３０９、プリントエンジン３１１、画像メモリ３１３、ＨＤＤ３１５、ＮＩＣ３１７、認証装置３１９、及びスキャナユニット３２１などを制御する。
【００２９】
図５は、第１実施形態の携帯端末４０のハードウェア構成の一例を示すブロック図である。図５に示すように、携帯端末４０は、無線通信装置４０１と、ＣＰＵ４０３と、ＲＯＭ４０５と、ＲＡＭ４０７と、ＨＤＤ４０９と、ＮＩＣ４１１と、操作装置４１３と、表示装置４１５と、を備える。但し、図５に示す携帯端末４０のハードウェア構成は、一例であり、これに限定されるものではない。
【００３０】
ＮＩＣ４１１は、内部ネットワーク２を介した通信用の通信インタフェースである。無線通信装置４０１は、Ｂｌｕｅｔｏｏｔｈなどの近距離無線通信用の通信インタフェースである。操作装置４１３は、タッチパネルなど各種操作入力を行うものである。表示装置４１５は、ディスプレイなど各種情報を表示するものである。
【００３１】
ＲＯＭ４０５は、ＣＰＵ４０３で実行されるプログラムなどを記憶する。ＲＡＭ４０７は、ＣＰＵ４０３の作業領域に用いられる。ＨＤＤ４０９は、ＣＰＵ４０３が使用する各種データを記憶する。ＣＰＵ４０３は、ＲＯＭ４０５に記憶されたプログラムをＲＡＭ４０７上で実行することで、各種動作を実現する。
【００３２】
図６は、第１実施形態のファクシミリシステム１の機能構成の一例を示すブロック図である。図６に示すように、本体部１１は、ファクシミリ受信部１５１と、ファクシミリ通知部１５３と、を含む。ファクシミリ受信部１５１は、例えば、ＣＰＵ１０５、ＲＡＭ１０９、ＭＯＤＥＭ１１９、及びＮＣＵ１２１により実現でき、ファクシミリ通知部１５３は、例えば、ＣＰＵ１０５、ＲＡＭ１０９、及びＮＩＣ１１７により実現できる。
【００３３】
また、図６に示すように、サーバ部２０は、ファクシミリ取得部２５１と、転送情報記憶部２５３と、特定部２５５と、実行可能通知方法情報取得部２５７と、通知優先度情報記憶部２５９と、通知優先度情報取得部２６１と、決定部２６３と、通知方法情報通知部２６５と、印刷指示部２６７と、を含む。
【００３４】
ファクシミリ取得部２５１、特定部２５５、通知優先度情報取得部２６１、及び決定部２６３は、例えば、ＣＰＵ２０１及びＲＡＭ２０５により実現でき、転送情報記憶部２５３及び通知優先度情報記憶部２５９は、例えば、ＨＤＤ２０７により実現でき、実行可能通知方法情報取得部２５７、通知方法情報通知部２６５、及び印刷指示部２６７は、例えば、ＣＰＵ２０１、ＲＡＭ２０５、及びＮＩＣ２０９により実現できる。
【００３５】
また、図６に示すように、子機３０は、実行可能通知方法情報記憶部３５１と、実行可能通知方法情報通知部３５３と、第１の通知実行部３５５と、印刷実行部３５７と、を含む。実行可能通知方法情報記憶部３５１は、例えば、ＨＤＤ３１５により実現でき、実行可能通知方法情報通知部３５３は、例えば、ＣＰＵ３０３、ＲＡＭ３０７、及びＮＩＣ３１７により実現でき、第１の通知実行部３５５は、例えば、ＣＰＵ３０３、ＲＡＭ３０７、及び無線通信装置３０９により実現でき、印刷実行部３５７は、例えば、プリントエンジン３１１により実現できる。
【００３６】
また、図６に示すように、携帯端末４０は、接続制御部４５１と、第２の通知実行部４５３と、を含む。接続制御部４５１及び第２の通知実行部４５３は、例えば、無線通信装置４０１、ＣＰＵ４０３、及びＲＡＭ４０７により実現できる。
【００３７】
ファクシミリ受信部１５１は、外部ネットワーク３を介して外部ファクシミリ装置５０からファクシミリを受信する。
【００３８】
ファクシミリ通知部１５３は、ファクシミリ受信部１５１により受信されたファクシミリをサーバ部２０に通知する。
【００３９】
ファクシミリ取得部２５１は、本体部１１からファクシミリを取得する。
【００４０】
転送情報記憶部２５３は、ファクシミリ取得部２５１により取得されたファクシミリの転送先を決定するための転送情報を記憶する。図７は、第１実施形態の転送情報の一例を示す図である。図７に示す例では、転送情報は、送信元ファクシミリ番号と転送先子機アドレスとを対応付けた情報となっている。送信元ファクシミリ番号は、外部ファクシミリ装置５０など本体部１１へファクシミリを送信した送信元のファクシミリ番号であり、転送先子機アドレスは、例えば、子機３０のＩＰアドレスである。
【００４１】
特定部２５５は、１以上の子機３０の中から、ファクシミリ取得部２５１により取得されたファクシミリの転送対象となる子機３０を特定する。具体的には、特定部２５５は、転送情報記憶部２５３に記憶されている転送情報を参照して、ファクシミリ取得部２５１により取得されたファクシミリの転送対象となる子機３０を特定する。
【００４２】
例えば、ファクシミリ取得部２５１により取得されたファクシミリの送信元ファクシミリ番号が「０３ｘｘｘｘｘｘｘｘ」の場合、図７に示す転送情報を参照すると、転送先子機アドレスが「１１．２２．３３．４４」の子機３０が、ファクシミリ取得部２５１により取得されたファクシミリの転送対象の子機３０となる。
【００４３】
実行可能通知方法情報取得部２５７は、特定部２５５により特定された転送対象の子機３０から、当該転送対象の子機３０で実行可能な１以上のファクシミリ受信の通知方法を示す実行可能通知方法情報を取得する。
【００４４】
実行可能通知方法情報記憶部３５１は、子機３０の実行可能通知方法情報を記憶する。実行可能通知方法情報通知部３５３は、サーバ部２０から実行可能通知方法情報の取得が要求されると、実行可能通知方法情報記憶部３５１から実行可能通知方法情報を取得し、サーバ部２０へ渡す。
【００４５】
図８は、第１実施形態の実行可能通知方法情報の一例を示す図である。図８に示す例では、実行可能通知方法情報は、スマートデバイスへの通知、ＬＥＤランプ点灯による通知、及びダイアログ表示による通知が可能となっている。
【００４６】
通知優先度情報記憶部２５９は、ファクシミリ受信の通知方法を示す通知方法情報毎に優先度を示す優先度情報を対応付けた通知優先度情報を記憶する。図９は、第１実施形態の通知優先度情報の一例を示す図である。図９に示す例では、通知優先度情報は、スマートデバイスへの通知が、優先度が最も高く、以下、優先度の高さは、ダイアログ表示、ビープ音による通知、ＬＥＤランプ点灯による通知、パトライト点灯による通知の順となっている。
【００４７】
通知優先度情報取得部２６１は、通知優先度情報を取得する。具体的には、通知優先度情報取得部２６１は、通知優先度情報記憶部２５９から通知優先度情報を取得する。
【００４８】
決定部２６３は、実行可能通知方法情報取得部２５７により取得された実行可能通知方法情報と通知優先度情報取得部２６１により取得された通知優先度情報とに基づいて、特定部２５５により特定された転送対象の子機３０に実行させるファクシミリ受信の通知方法を決定する。具体的には、決定部２６３は、通知優先度情報を参照し、転送対象の子機３０に実行させるファクシミリ受信の通知方法を、実行可能通知方法情報が示す１以上の実行可能通知方法のうち最も優先度が高い実行可能通知方法に決定する。
【００４９】
例えば、図８に示す実行可能通知方法情報及び図９に示す通知優先度情報の場合、転送対象の子機３０に実行させるファクシミリ受信の通知方法は、スマートデバイスへの通知に決定される。
【００５０】
通知方法情報通知部２６５は、決定部２６３により決定されたファクシミリ受信の通知方法を示す通知方法情報を、特定部２５５により特定された転送対象の子機３０に通知する。
【００５１】
なお通知方法情報通知部２６５は、実行可能通知方法情報取得部２５７が転送対象の子機３０から実行可能通知方法情報を取得できない場合、転送対象の子機３０にファクシミリが転送されたことを示すファクシミリ受信通知情報を予め定められた通知先に通知するようにしてもよい。予め定められた通知先は、例えば、管理者やいずれかの子機３０のメールアドレスが挙げられる。
【００５２】
第１の通知実行部３５５は、サーバ部２０から通知された通知方法情報が示すファクシミリ受信の通知方法を実行する。例えば、第１の通知実行部３５５は、通知方法情報がダイアログ表示を示す場合、操作パネル３０１（ＬＣＤ）にファクシミリを受信した旨の画面表示を行う。また例えば、第１の通知実行部３５５は、通知方法情報がビープ音による通知を示す場合、操作パネル３０１（ブザー）にビープ音を音声出力させる。また例えば、第１の通知実行部３５５は、通知方法情報がＬＥＤランプ点灯による通知を示す場合、操作パネル３０１（ＬＥＤ）を点灯させる。また例えば、第１の通知実行部３５５は、通知方法情報がパトライト点灯による通知を示す場合、操作パネル３０１（パトライト）を点灯させる。
【００５３】
なお第１実施形態では、第１の通知実行部３５５は、サーバ部２０からファクシミリ受信通知情報を受信した場合、図１０に示すように、操作パネル３０１（ＬＣＤ）に転送対象の子機３０にファクシミリが転送されたことを示す画面表示を行うことを想定しているが、これに限定されるものではない。
【００５４】
前述したように、図８に示す実行可能通知方法情報及び図９に示す通知優先度情報の場合、決定部２６３は、転送対象の子機３０に実行させるファクシミリ受信の通知方法をスマートデバイスへの通知に決定する。この場合、通知方法情報がスマートデバイスへの通知を示すので、第１の通知実行部３５５は、サーバ部２０から通知方法情報の通知後に、予め定められた範囲内に携帯端末４０が位置すると、当該携帯端末４０との接続を試み、接続に成功した場合、当該携帯端末４０のファクシミリ受信の通知方法を示す携帯用通知方法情報を当該携帯端末４０に通知する。
【００５５】
なお、第１の通知実行部３５５は、携帯端末４０との接続に成功した場合、当該携帯端末４０のシリアル番号やＭＡＣ（Media  Access  Control  address）アドレスなどの識別子から過去に接続したことがあるか否かを確認し、過去に接続したことがある場合に、携帯用通知方法情報を当該携帯端末４０に通知するようにしてもよい。
【００５６】
接続制御部４５１は、携帯端末４０を保持するユーザの移動に伴い、予め定められた範囲内に転送対象の子機３０が位置すると、当該転送対象の子機３０との接続を試みる。
【００５７】
第２の通知実行部４５３は、転送対象の子機３０との接続が成功した場合に、当該転送対象の子機３０から通知された携帯用通知方法情報が示す携帯端末用のファクシミリ受信の通知方法を実行する。
【００５８】
第１実施形態では、携帯用通知方法情報が示す携帯端末用のファクシミリ受信の通知方法は、表示装置４１５へのメッセージ表示を想定しているが、これに限定されず、バイブの振動や着信音の音声出力などを用いてもよい。
【００５９】
印刷指示部２６７は、通知方法情報通知部２６５による通知方法情報の通知後に、ファクシミリの印刷を転送対象の子機３０に指示する。
【００６０】
印刷実行部３５７は、サーバ部２０から指示されたファクシミリの印刷を実行する。
【００６１】
図１１は、第１実施形態のファクシミリシステム１で行われる処理の手順の流れの一例を示すシーケンス図である。
【００６２】
まず、本体部１１のファクシミリ受信部１５１は、外部ネットワーク３を介して外部ファクシミリ装置５０からファクシミリを受信する（ステップＳ１０１）。
【００６３】
続いて、本体部１１のファクシミリ通知部１５３は、ファクシミリ受信部１５１により受信されたファクシミリをサーバ部２０に通知し、サーバ部２０のファクシミリ取得部２５１は、本体部１１からファクシミリを取得する（ステップＳ１０３）。
【００６４】
続いて、サーバ部２０の特定部２５５は、転送情報記憶部２５３に記憶されている転送情報を参照して、ファクシミリ取得部２５１により取得されたファクシミリの転送対象の子機３０を特定する（ステップＳ１０５）。
【００６５】
続いて、サーバ部２０の実行可能通知方法情報取得部２５７は、特定部２５５により特定された転送対象の子機３０に対して、実行可能通知方法情報の取得を要求し（ステップＳ１０７）、転送対象の子機３０の実行可能通知方法情報通知部３５３は、サーバ部２０から実行可能通知方法情報の取得が要求されると、実行可能通知方法情報記憶部３５１から実行可能通知方法情報を取得し、サーバ部２０へ通知する（ステップＳ１０９）。
【００６６】
続いて、サーバ部２０の通知優先度情報取得部２６１は、通知優先度情報記憶部２５９から通知優先度情報を取得する（ステップＳ１１１）。
【００６７】
続いて、サーバ部２０の決定部２６３は、実行可能通知方法情報取得部２５７により取得された実行可能通知方法情報と通知優先度情報取得部２６１により取得された通知優先度情報とに基づいて、特定部２５５により特定された転送対象の子機３０に実行させるファクシミリ受信の通知方法を決定する（ステップＳ１１３）。
【００６８】
続いて、サーバ部２０の通知方法情報通知部２６５は、決定部２６３により決定されたファクシミリ受信の通知方法を示す通知方法情報を、特定部２５５により特定された転送対象の子機３０に通知する（ステップＳ１１５）。
【００６９】
続いて、転送対象の子機３０の第１の通知実行部３５５は、サーバ部２０から通知された通知方法情報が示すファクシミリ受信の通知方法を実行する（ステップＳ１１７）。
【００７０】
続いて、サーバ部２０の印刷指示部２６７は、通知方法情報通知部２６５による通知方法情報の通知後に、ファクシミリの印刷を転送対象の子機３０に指示する（ステップＳ１１９）。
【００７１】
続いて、転送対象の子機３０の印刷実行部３５７は、サーバ部２０に印刷対象のファクシミリを要求し、印刷指示部２６７は、印刷対象のファクシミリを転送対象の子機３０に送信し、印刷実行部３５７は、サーバ部２０から送信されたファクシミリの印刷を実行する（ステップＳ１２１〜Ｓ１２５）。
【００７２】
図１２は、第１実施形態のファクシミリシステム１において、通知方法情報がスマートデバイスへの通知を示す場合に行われる処理の手順の流れの一例を示すシーケンス図である。
【００７３】
まず、携帯端末４０の接続制御部４５１は、携帯端末４０を保持するユーザの移動に伴い、予め定められた範囲内に子機３０（ここでは、転送対象の子機３０とする）が位置することを検知すると、当該転送対象の子機３０に接続を要求する（ステップＳ２０１）。
【００７４】
続いて、転送対象の子機３０の第１の通知実行部３５５は、携帯端末４０から接続が要求されると、携帯端末４０の接続制御部４５１と共同して、転送対象の子機３０及び携帯端末４０間の接続を確立する（ステップＳ２０３）。
【００７５】
続いて、第１の通知実行部３５５は、接続が確立されると、携帯用通知方法情報を携帯端末４０に通知する（ステップＳ２０５）。
【００７６】
続いて、携帯端末４０の第２の通知実行部４５３は、転送対象の子機３０から通知された携帯用通知方法情報が示す携帯端末用のファクシミリ受信の通知方法を実行する（ステップＳ２０７）。
【００７７】
以上のように第１の実施形態によれば、サーバ部が、ファクシミリが転送される転送対象の子機に当該子機で実行可能な通知方法を指示し、当該子機が当該通知方法を実行するので、ファクシミリを受信する旨を周囲に周知させることができる。
【００７８】
（第２実施形態）
第２実施形態では、ファクシミリの印刷をユーザの指示に基づいて実行する例について説明する。以下では、第１実施形態との相違点の説明を主に行い、第１実施形態と同様の機能を有する構成要素については、第１実施形態と同様の名称・符号を付し、その説明を省略する。
【００７９】
図１３は、第２実施形態のファクシミリシステム１００１の機能構成の一例を示すブロック図である。図１３に示すように、第２実施形態の親機１０１０のサーバ部１０２０では、決定部１２６３、通知方法情報通知部１２６５、印刷開始要求情報受信部１２６９、及び印刷指示部１２６７が第１実施形態と相違し、第２実施形態の子機１０３０では、第１の通知実行部１３５５及び印刷開始要求情報通知部１３５９が第１実施形態と相違する。
【００８０】
印刷開始要求情報通知部１３５９は、第１の通知実行部１３５５によりサーバ部１０２０から通知された通知方法情報が示すファクシミリ受信の通知方法を実行した後に、ユーザからの操作入力に基づいて、ファクシミリの印刷を開始するか否かを示す印刷開始要求情報をサーバ部１０２０に通知する。
【００８１】
例えば、印刷開始要求情報通知部１３５９は、第１の通知実行部１３５５によりファクシミリ受信の通知方法が実行されると、図１４に示すように、操作パネル３０１（ＬＣＤ）にファクシミリの印刷を行うか否かを確認する確認画面を表示する。そして、ユーザから、操作パネル３０１（ハードキー又はタッチパネル）に対して印刷するかしないかが選択されると、印刷開始要求情報通知部１３５９は、ファクシミリの印刷を開始するか否かを示す印刷開始要求情報をサーバ部１０２０に通知する。
【００８２】
印刷開始要求情報受信部１２６９は、転送対象の子機１０３０から通知された印刷開始要求情報を受信する。
【００８３】
印刷指示部１２６７は、印刷開始要求情報受信部１２６９により受信された印刷開始要求情報が印刷開始を示す場合、ファクシミリの印刷を転送対象の子機１０３０に指示する。
【００８４】
決定部１２６３は、印刷開始要求情報受信部１２６９により印刷開始要求情報が受信されない場合、通知優先度情報に基づいて、転送対象の子機１０３０に更に実行させるファクシミリ受信の補助通知方法を、実行可能通知方法情報が示す１以上のファクシミリ受信の通知方法のうち決定されたファクシミリ受信の通知方法以外のファクシミリ受信の通知方法の中から決定する。例えば、決定部１２６３は、転送対象の子機１０３０に実行させるファクシミリ受信の補助通知方法を、実行可能通知方法情報が示す１以上の実行可能通知方法のうち２番目に優先度が高い実行可能通知方法に決定すればよい。
【００８５】
通知方法情報通知部１２６５は、決定部１２６３により決定されたファクシミリ受信の補助通知方法を示す補助通知方法情報を転送対象の子機１０３０に更に通知する。
【００８６】
第１の通知実行部１３５５は、サーバ部１０２０から通知された補助通知方法情報が示すファクシミリ受信の補助通知方法を更に実行する。
【００８７】
図１５は、第２実施形態のファクシミリシステム１００１で行われる処理の手順の流れの一例を示すシーケンス図である。
【００８８】
まず、ステップＳ３０１〜Ｓ３１７までの処理は、図１１に示すシーケンス図のステップＳ１０１〜Ｓ１１７までの処理と同様である。
【００８９】
続いて、転送対象の子機１０３０の印刷開始要求情報通知部１３５９は、第１の通知実行部１３５５によりファクシミリ受信の通知方法が実行されると、操作パネル３０１（ＬＣＤ）にファクシミリの印刷を行うか否かを確認する確認画面を表示する（ステップＳ３１８）。
【００９０】
続いて、転送対象の子機１０３０の印刷開始要求情報通知部１３５９は、ユーザから、操作パネル３０１（ハードキー又はタッチパネル）に対する印刷実行の選択入力を受け付け（ステップＳ３１９）、ファクシミリの印刷開始を示す印刷開始要求情報をサーバ部１０２０に通知し、サーバ部１０２０の印刷開始要求情報受信部１２６９は、転送対象の子機１０３０から通知された印刷開始要求情報を受信する（ステップＳ３２１）。
【００９１】
続いて、印刷指示部１２６７は、印刷開始要求情報受信部１２６９により受信された印刷開始要求情報が印刷開始を示すので、ファクシミリの印刷を転送対象の子機１０３０に指示する（ステップＳ３２３）。
【００９２】
以降の、ステップＳ３２５〜Ｓ３２９までの処理は、図１１に示すシーケンス図のステップＳ１２１〜Ｓ１２５までの処理と同様である。
【００９３】
（変形例１）
上記各実施形態では、サーバ部２０が、親機１０に内蔵されて本体部１１と内部接続されている場合を例に取り説明したが、図１６に示すファクシミリシステム２００１のように、サーバ部２０を親機１０の外部からネットワーク２に接続し、ネットワーク２を介してサーバ部２０と親機１０とを接続するようにしてもよい。この場合、親機１０は、本体部１１に相当する。
【００９４】
（変形例２）
上記各実施形態において、通知優先度情報を条件に応じて切り替えるようにしてもよい。例えば、図１７に示す通知優先度情報のように、時間帯を示す時間帯情報毎に、優先度情報を通知方法情報に対応付けるようにし、決定部は、更に現在の時刻に基づいて、転送対象の子機に実行させるファクシミリ受信の通知方法を決定するようにしてもよい。
【００９５】
このようにすれば、時間帯に応じて、決定部により決定されるファクシミリ受信の通知方法を異ならせることができるので、例えば、ユーザがいる時間帯とユーザがいない時間帯とのいずれにおいても最適なファクシミリ受信の通知を行うことができ、ユーザにファクシミリ受信を気づかせる確度を上げることができる。
【００９６】
また例えば、図１８に示す通知優先度情報のように、ユーザを示すユーザ識別情報毎に、優先度情報を前記通知方法情報に対応付けるようにし、決定部は、更にファクシミリの受取対象ユーザを示す受取対象ユーザ識別情報に基づいて、転送対象の子機に実行させるファクシミリ受信の通知方法を決定するようにしてもよい。なお、受取対象ユーザ識別情報については、子機の認証装置３１９で認証を行い、認証に成功した場合に認証装置３１９から入力されるユーザ識別情報としてもよいし、ファクシミリの送信先のユーザの名前としてもよい。ファクシミリの送信先のユーザの名前は、ファクシミリにＯＣＲ（Optical  Character  Recognition）処理を施すことで特定できる。
【００９７】
なお、通知優先度情報は、子機３０の設置場所を示す設置場所情報毎に、優先度情報を通知方法情報に対応付けるようにしてもよい。
【００９８】
（変形例３）
上記各実施形態では、転送対象の子機から実行可能通知方法情報を取得できない場合、ファクシミリ受信通知情報を予め定められた通知先に通知するようにしたが、近隣の子機に通知するようにしてもよい。
【００９９】
この場合、実行可能通知方法情報取得部は、転送対象の子機から実行可能通知方法情報を取得できない場合、１以上の子機のうち転送対象の子機の近隣に位置する近隣子機から実行可能通知方法情報を取得し、決定部は、実行可能通知方法情報と通知優先度情報とに基づいて、近隣子機に代替実行させるファクシミリ受信の通知方法を決定し、通知方法情報通知部は、決定されたファクシミリ受信の通知方法を示す通知方法情報を近隣子機に通知し、近隣子機の第１の通知実行部は、サーバ部から通知された通知方法情報が示すファクシミリ受信の通知方法を代替実行するようにすればよい。
【０１００】
なお、近隣子機は、転送対象の子機と同一サブネット上にＩＰアドレスが割り当てられたいずれかの子機とすればよい。ファクシミリ受信の通知方法の決定方法については、上記各実施形態と同様に行ってもよいし、ファクシミリ受信の通知方法をダイアログ表示による通知に決定するようにしてもよい。
【０１０１】
（プログラム）
上記各実施形態及び各変形例の本体部、サーバ部、子機、及び携帯端末（以下、「上記各実施形態及び各変形例の各装置」と称する）で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１０２】
また、上記各実施形態及び各変形例の各装置で実行されるプログラムを、インターネット等のネットワークに接続されたコンピュータ上に格納し、ネットワーク経由でダウンロードさせることにより提供するようにしてもよい。また、上記各実施形態及び各変形例の各装置を、インターネット等のネットワーク経由で提供または配布するようにしてもよい。また、上記各実施形態及び各変形例の各装置で実行されるプログラムを、ＲＯＭ等に予め組み込んで提供するようにしてもよい。
【０１０３】
上記各実施形態及び各変形例の各装置で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【０１０４】
１、１００１、２００１  ファクシミリシステム
２  内部ネットワーク
３  外部ネットワーク
１０、１０１０  親機
１１、１０１１  本体部
２０、１０２０  サーバ部
３０−１〜３０−４（３０、１０３０）  子機
４０  携帯端末
５０−１、５０−２（５０）  外部ファクシミリ装置
１０１  スキャナユニット
１０３  操作パネル
１０５  ＣＰＵ
１０７  ＲＯＭ
１０９  ＲＡＭ
１１１  プリントエンジン
１１３  画像メモリ
１１５  ＨＤＤ
１１７  ＮＩＣ
１１９  ＭＯＤＥＭ
１２１  ＮＣＵ
１５１  ファクシミリ受信部
１５３  ファクシミリ通知部
２０１  ＣＰＵ
２０３  ＲＯＭ
２０５  ＲＡＭ
２０７  ＨＤＤ
２０９  ＮＩＣ
２５１  ファクシミリ取得部
２５３  転送情報記憶部
２５５  特定部
２５７  実行可能通知方法情報取得部
２５９  通知優先度情報記憶部
２６１  通知優先度情報取得部
２６３、１２６３  決定部
２６５、１２６５  通知方法情報通知部
２６７、１２６７  印刷指示部
３０１  操作パネル
３０３  ＣＰＵ
３０５  ＲＯＭ
３０７  ＲＡＭ
３０９  無線通信装置
３１１  プリントエンジン
３１３  画像メモリ
３１５  ＨＤＤ
３１７  ＮＩＣ
３１９  認証装置
３２１  スキャナユニット
３５１  実行可能通知方法情報記憶部
３５３  実行可能通知方法情報通知部
３５５、１３５５  第１の通知実行部
３５７  印刷実行部
４０１  無線通信装置
４０３  ＣＰＵ
４０５  ＲＯＭ
４０７  ＲＡＭ
４０９  ＨＤＤ
４１１  ＮＩＣ
４１３  操作装置
４１５  表示装置
４５１  接続制御部
４５３  第２の通知実行部
１２６９  印刷開始要求情報受信部
１３５９  印刷開始要求情報通知部
【先行技術文献】
【特許文献】
【０１０５】
【特許文献１】特開２０１４−１９２６０１号公報
【図１】
2016174307.tif 000003
【図２】
2016174307.tif 000004
【図３】
2016174307.tif 000005
【図４】
2016174307.tif 000006
【図５】
2016174307.tif 000007
【図６】
2016174307.tif 000008
【図７】
2016174307.tif 000009
【図８】
2016174307.tif 000010
【図９】
2016174307.tif 000011
【図１０】
2016174307.tif 000012
【図１１】
2016174307.tif 000013
【図１２】
2016174307.tif 000014
【図１３】
2016174307.tif 000015
【図１４】
2016174307.tif 000016
【図１５】
2016174307.tif 000017
【図１６】
2016174307.tif 000018
【図１７】
2016174307.tif 000019
【図１８】
2016174307.tif 000020